(57)【要約】【課題】  太さや材質の異なる２種類の釣り糸を強固に結束させる作業が、初心者等においても簡単且つ安定して行える糸結束補助具を提供する。【解決手段】  ２本の糸１，２を結束させるのに使用する糸結束補助具１０において、棒状の保持部１１の一端から糸を挿入させる隙間を有するようにしてコイル状に巻回された案内部１２を設けた。【選択図】  図５
0003137454.tif 000002
【実用新案登録請求の範囲】
【請求項１】
２本の糸を結束させるのに使用する糸結束補助具において、棒状の保持部の一端から糸を挿入させる隙間を有するようにしてコイル状に巻回された案内部が設けられてなることを特徴とする糸結束補助具。
【請求項２】
請求項１に記載の糸結束補助具において、上記の棒状の保持部の一端からコイル状に巻回され始める案内開始部における隙間が大きくなっていることを特徴とする糸結束補助具。
【請求項３】
請求項１又は請求項２に記載の糸結束補助具において、上記の結束させる２本の糸が種類の異なる２種類の釣り糸であることを特徴とする糸結束補助具。
【請求項４】
請求項３に記載の糸結束補助具において、上記の一方の糸がポリエチレン糸であることを特徴とする糸結束補助具。
【請求項５】
請求項１〜請求項４に記載の糸結束補助具において、結束された２本の糸の結束状態がオルブライトノットの途中段階であることを特徴とする糸結束補助具。
【考案の詳細な説明】
【技術分野】
【０００１】
この考案は、２本の糸を結束させるのに使用する糸結束補助具に係り、特に、太さや材質の異なる２種類の釣り糸を簡単且つ強固に結束できるようにした点に特徴を有するものである。
【背景技術】
【０００２】
従来から、各種の釣りにおいて、２本の釣り糸を結束させることが行われており、２本の釣り糸を結束させる結び方法としては、ブラッドノット、電車結び、８の字結び、チチワ結び、投げ縄結び等の様々な結束方法が知られている。
【０００３】
ここで、このような結束方法は、一般に２本の釣り糸を操作する作業が複雑であり、また細かな作業が必要になるため、初心者等にとっては作業が困難で時間がかかり、特に夜釣りのように暗い場所で、２本の釣り糸を結束させるり作業を行うことは非常に困難であった。
【０００４】
さらに、リーダにフロロカーボン糸やナイロン糸などの太い釣り糸を用いる一方、道糸にポリエチレン糸などの細い釣り糸を用い、これらの太さや材質が異なる２種類の釣り糸を結束させる場合、これらを結束させる結び方によっては、結束させた２種類の釣り糸が簡単に抜けたり、一方の釣り糸が切断されやすくなったりするという問題があった。
【０００５】
そして、上記のような太さや材質が異なる２種類の釣り糸を結束させる方法の１つとして、図１（Ａ）〜（Ｆ）に示すようして、フロロカーボン糸やナイロン糸などを用いた太いリーダ１と、ポリエチレン糸などを用いた細い道糸２とを結束させるオルブライトノットと呼ばれる結束方法が知られている。
【０００６】
しかし、このオルブライトノットによって上記のような２種類の釣り糸を結束させる操作は、初心者等にとっては非常に複雑で、その操作手順を覚えることが困難であり、また結束させる操作に非常に長い時間がかかると共に、操作ミスも多くなって、結束された２種類の釣り糸が簡単に抜けたり、一方の釣り糸が簡単に切断されたりするという問題があった。
【０００７】
また、従来においては、特許文献１に示されるように、８の字結び、チチワ結び、投げ縄結びを行うための釣り糸結束具が提案されている。
【０００８】
しかし、この釣り糸結束具を用いて２本の釣り糸を結束させる場合、それぞれの結び方に対応した操作方法が必要となり、初心者等にとってはこのような操作方法を覚えることが困難であると共に、その操作自体も複雑で面倒であり、この釣り糸結束具を用いて、２本の釣り糸を適切に結束させることは非常に困難であった。
【０００９】
また、この釣り糸結束具を用いて、上記のように太さや材質が異なる２種類の釣り糸を結束させる場合には、結束方法に応じた操作方法などを自分で考えて行うことが必要であり、太さや材質が異なる２種類の釣り糸を適切に結束させることは非常に面倒であった。
【特許文献１】特開２００３−６１５２８号公報
【考案の開示】
【考案が解決しようとする課題】
【００１０】
この考案は、２本の糸を結束させる場合、特に、太さや材質の異なる２種類の釣り糸を結束させる場合における上記のような問題を解決することを課題とするものである。
【００１１】
すなわち、この考案においては、太さや材質の異なる２種類の釣り糸を強固に結束させる作業が、初心者等においても簡単且つ安定して行える糸結束補助具を提供することを課題とするものである。
【課題を解決するための手段】
【００１２】
この考案においては、上記のような課題を解決するため、２本の糸を結束させるのに使用する糸結束補助具において、棒状の保持部の一端から糸を挿入させる隙間を有するようにしてコイル状に巻回された案内部を設けている。
【００１３】
そして、この糸結束補助具においては、上記の棒状の保持部の一端からコイル状に巻回させ始める案内開始部における隙間を大きくすることが好ましい。
【００１４】
特に、この糸結束補助具においては、結束させる２本の糸として、太さや材質の異なる２種類の釣り糸を用い、その一方の糸にポリエチレン糸を用いて結束させる場合に有効である。
【考案の効果】
【００１５】
この考案における糸結束補助具においては、一方の糸を折り返し状にして、上記の保持部側からコイル状に巻回された案内部内に挿入させて突出させる一方、他方の糸を保持部と反対側から上記の案内部内を挿通させて保持部側に導き出し、このように保持部側に導き出された他方の糸を、コイル状に巻回された案内部に沿って案内部内に挿入された上記の折り返し状になって糸に巻き付け、この他方の糸の端部を上記の一方の糸を折り返し部分に通してこの２本の糸を引っ張るだけで、上記の２本の糸が適切に結束されるようになり、初心者等においても、２本の糸を一定した状態で簡単に結束させることができるようになる。
【００１６】
そして、このようにして結束された２本の糸の結束状態は、オルブライトノットの途中段階であるが、この状態であっても、２本の糸が強固に結束されるようになり、この２本の糸が太さや材質の異なる２種類の釣り糸で、一方の糸がポリエチレン糸である場合においても、この２本の釣り糸が簡単に抜けたり、一方の釣り糸が切断されたりするということがない。
【００１７】
また、この糸結束補助具において、上記の棒状の保持部の一端からコイル状に巻回させ始める案内開始部における隙間を大きくすると、上記の他方の糸をこの案内開始部からコイル状に巻回された案内部の隙間に簡単に導くことができるようになり、この他方の糸を、案内部内に挿入された上記の折り返し状になって糸に巻き付ける作業がより簡単に行えるようになる。
【考案を実施するための最良の形態】
【００１８】
以下、この考案の実施形態に係る糸結束補助具を添付図面に基づいて具体的に説明する。なお、この考案に係る糸結束補助具は、特に下記の実施形態に示したものに限定されるものではなく、その要旨を変更しない範囲において適宜変更して実施できるものである。
【００１９】
この実施形態における糸結束補助具１０においては、図１に示すように、棒状になった保持部１１の一端から糸を挿入させる隙間を有するようにしてコイル状に巻回された案内部１２が設けられており、この保持部１１からコイル状に巻回させ始める案内開始部１２ａにおける隙間を大きくしている。
【００２０】
次に、太さや材質の異なる２種類の釣り糸であるフロロカーボン糸やナイロン糸などを用いた太いリーダ１と、ポリエチレン糸などを用いた細い道糸２とを、上記の実施形態における糸結束補助具１０を用いて結束させる方法について説明する。
【００２１】
先ず、第１の工程においては、図３に示すように、上記の太いリーダ１を折り返し状にして、上記の糸結束補助具１０の保持部１１側から案内部１２内に挿入させ、このリーダ１の折り返された部分を、案内部１２を通して保持部１１と反対側に突出させる一方、上記の細い道糸２を上記の保持部１１の反対側から上記の案内部１２内を挿通させて保持部１１側に導き出し、このように保持部１１側に導き出された道糸２を上記の折り返し状になったリーダ１の折り返し側と反対のライン側のリーダ１に巻き掛けるようにする。
【００２２】
次いで、第２の工程においては、図４に示すように、ライン側のリーダ１に巻き掛けた道糸２を、糸結束補助具１０のコイル状に巻回させ始める隙間が大きくなった案内開始部１２ａを通して案内部１２の隙間に導き、上記の折り返し状になったリーダ１に巻き付けるようにする。
【００２３】
次いで、第３の工程においては、図５に示すように、案内部１２の隙間に導かれた道糸２を、コイル状に巻回された案内部１２の隙間に沿って上記の折り返し状になったリーダ１に順々に巻き付けて保持部１１の反対側に戻し、このように保持部１１の反対側に戻された道糸２の端部を、保持部１１と反対側に突出されたリーダ１の折り返された部分の間に通すようにする。
【００２４】
このようにすると、上記の折り返し状になったリーダ１とこのリーダ１に巻き付けた道糸２とが、前記のオルブライトノットと呼ばれる結束方法における図１（Ｃ）に示すものと同じ状態になり、この状態で、上記のリーダ１と道糸２とを引っ張ると、このリーダ１と道糸２とが、前記のオルブライトノットにおける途中段階の図１（Ｄ）に示す状態で結束されるようになる。
【００２５】
このようにして、太さや材質の異なる上記のリーダ１と道糸２とを結束させた状態でも、上記のリーダ１と道糸２とが強固に結束されるようになり、結束されたリーダ１と道糸２とが簡単に抜けて外れたり、リーダ１と道糸２の何れか一方が切断されたりするのが防止される。
【００２６】
なお、このようにしてリーダ１と道糸２とを結束させた後、前記の図１（Ｅ），（Ｆ）に示すように、上記の道糸２の端部を巻回させてオルブライトノットの結束を行うようにすることも可能である。
【図面の簡単な説明】
【００２７】
【図１】太いリーダと細い道糸とをオルブライトノットと呼ばれる結束方法で結束させる工程を示した概略説明図である。
【図２】この考案の一実施形態に係る糸結束補助具を示した概略正面図である。
【図３】上記の実施形態に係る糸結束補助具を用いて太いリーダと細い道糸とを結束させる第１の工程を示した概略説明図である。
【図４】上記の実施形態に係る糸結束補助具を用いて太いリーダと細い道糸とを結束させる第２の工程を示した概略説明図である。
【図５】上記の実施形態に係る糸結束補助具を用いて太いリーダと細い道糸とを結束させる第３の工程を示した概略説明図である。
【符号の説明】
【００２８】
１  リーダ
２  道糸
１０  糸結束補助具
１１  保持部
１２  案内部
１２ａ  案内開始部
【図１】
0003137454.tif 000003
【図２】
0003137454.tif 000004
【図３】
0003137454.tif 000005
【図４】
0003137454.tif 000006
【図５】
0003137454.tif 000007